(57)【特許請求の範囲】
【請求項１】
キートップを有するキーシートと、前記キートップが挿入されるキートップ孔を有するカバーとを合体させて、キー操作部を構成する携帯無線装置において、前記カバーまたは前記キーシートの一方には、嵌合用凹穴と、この凹穴の中にこの凹穴の深さとほぼ同じ高さの嵌合用凸部を備えるようにし、他方には嵌合用凸部と、この凸部の中心にこの凸部の高さとほぼ同じ深さの嵌合用凹穴を備えるようにして、前記カバーに設けたキートップ孔に前記キートップを嵌入するときに前記嵌合用凹穴と嵌合用凸部とを圧入嵌合することにより取付けたことを特徴とする携帯無線装置。
【請求項２】
前記嵌合用凹穴の中央に設けた嵌合用凸部と前記嵌合用凸部の中央に設けた嵌合用凹穴の嵌合関係は、締まりばめとしたことを特徴とする請求項１に記載の携帯無線装置。
【請求項３】
前記嵌合用凹穴の中央に設けた嵌合用凸部と前記嵌合用凸部の中央に設けた嵌合用凹穴の嵌合関係は、締まりばめとし、前記中央に設けられた嵌合用凹部と嵌合用凸部以外の嵌合関係は、すきまばめまたは中間ばめとしたことを特徴とする請求項１に記載の携帯無線装置。
【請求項４】
キートップを有するキーシートと、前記キートップが挿入されるキートップ孔を有するカバーとを合体させて、キー操作部を構成する携帯無線装置において、前記カバーには、嵌合用凹穴と、この凹穴の中にこの凹穴の深さとほぼ同じ高さの嵌合用凸部を備えるようにし、前記キーシートには、嵌合用凸部と、この凸部の中心にこの凸部の高さとほぼ同じ深さの嵌合用凹穴を備えるようにして、前記カバーに設けたキートップ孔に前記キートップを嵌入するときに前記キーシートを圧入嵌合することにより取付けたことを特徴とする携帯無線装置。
【請求項５】
前記嵌合用凹穴の中に設けられた前記嵌合用凸部は、前記カバーに立設したボスであることを特徴とする請求項４に記載の携帯無線装置。
【請求項６】
前記ボスの形状を円筒形としたことを特徴とする請求項５に記載の携帯無線装置。
【請求項７】
前記カバーに設けられた凹穴の中に嵌合用凸部を有する前記嵌合用凹穴は、前記カバーの縦方向の中心線に線対称に設けられ、且つ上端に設けられた前記嵌合用凹穴は、前記カバーの左右端部にあり、前記下端に設けられた前記嵌合用凹穴は、前記カバーの縦方向の中心線の近傍にあることを特徴とする請求項４に記載の携帯無線装置。
【請求項８】
前記上端に設けられた前記嵌合用凹穴は、前記下端に設けられた前記嵌合用凹穴よりも深くなるように設定されていることを特徴とする請求項７に記載の携帯無線装置。
【請求項９】
前記キーシートに設けられた中心に嵌合用凹穴を有する前記嵌合用凸部は、前記キーシートと同一材料で形成される中空円筒状のものであることを特徴とする請求項４に記載の携帯無線装置。
【請求項１０】
前記キーシートはシリコンゴムであることを特徴とする請求項９に記載の携帯無線装置。
【請求項１１】
前記キーシートに設けられた中心に嵌合用凹穴を有する前記嵌合用凸部は、前記キーシートの縦方向の中心線に線対称に設けられ、且つ上端に設けられた前記嵌合用凸部は、前記キーシートの左右端部にあり、前記下端に設けられた前記嵌合用凸部は、前記キーシートの縦方向の中心線の近傍にあることを特徴とする請求項４に記載の携帯無線装置。
【請求項１２】
前記上端に設けられた前記嵌合用凸部は、前記下端に設けられた前記嵌合用凸部よりも高くなるように設定されていることを特徴とする請求項１１に記載の携帯無線装置。
【発明の詳細な説明】
【０００１】
【発明の属する技術分野】
本発明は、携帯無線装置に関し、特にキーシートを圧入嵌合してカバーに取り付ける場合に取付け易く、取付けた後は外れにくくするよう構成したものである。
【０００２】
【従来の技術】
現在の携帯無線装置では、薄型化・小型化と大量生産によるコストダウン化が生産の上での使命となっており、各メーカは日夜腐心しているところである。そのため内蔵部品であるキーシートも薄型化・小型化が要求されており、薄型化・小型化かつ大量生産化されても取付け易く、外れにくくすることが求められている。
【０００３】
しかし従来、携帯無線装置においてキーシートをカバーに取付ける場合、大量生産を優先するあまり、図７に示すように、取付けも、取り外しも簡単になってしまうような設計となるか、あるいは図８のように取付易いが実装部品等の配置関係からその設置場所が限定されてしまう設計となるか、または大量生産性を意識せずに図９に示されるような実装部品等の配置関係に影響されないが、取付寸法を厳密化してしまうために外れにくいが取付けにくい設計となっていた。
【０００４】
すなわち、図７から図９はカバーに設けた嵌合凸部と、キーシートに設けた嵌合凹部の断面図を示すものである。なお、図面では説明のために嵌合凸部と嵌合凹部との間に隙間があるように示しているが、図７においてはキーシート23に設けた嵌合凹部としての嵌合穴の穴径Ｇがカバー21に設けた嵌合凸部の外径Ｆよりも小さくなるように設計されており、この設計の下で嵌合凸部が嵌合凹部に圧入嵌合してキーシート23をカバー21に取付けていた。そのため、簡単に取付けできるが、簡単に外れてしまうという問題があった。なお、図７においては掛かり量Ｈは薄型化のためにあまりとれない構造となっている。
【０００５】
また、図８に示したものは、カバー31に設けた嵌合凸部の周囲にも嵌合凹部を設け、またキーシート33に設けた嵌合凹部の周囲にも嵌合凸部を設けておき、カバー31に設けた嵌合凸部の外径Ｊよりも小さくなるようにキーシート33に設けた嵌合凹部の内径Ｋを設計し、さらにカバー31に設けた嵌合凸部の周囲に設けた嵌合凹部の内径Ｍがキーシート33に設けた嵌合凹部の周囲に設けた嵌合凸部の外径Ｌよりも大きくなるように設計してある。この図８の例は取付け易く、掛かり量Ｎを自由に取れるが、掛かり量Ｎを確保するために嵌合凸部と嵌合凹部を設ける場所が実装部品等の配置関係に影響されて設置場所が限定されるという問題点があった。また、薄型化の影響を受けざるを得ない構造となっている。
【０００６】
また、図９に示したものは、実装部品47がプリント基板45上にあるときに、実装部品47より大きい逃げ用の凹部をキーシート43に設けて、実装部品の配置関係に影響されないようにしたもので、キーシート43に設けた嵌合凸部の外径Ｐがカバー41に設けた嵌合凹部の内径Ｑが接近した値となるように設計して、この設計の下で圧入嵌合してキーシート43をカバー41に取付けるので、取付けにくく取り外しにくくなってしまうという問題点があった。なお、図９においては掛かり量Ｒは自由に取れるが薄型化の影響を受けざるを得ない構造となっている。
【０００７】
【発明が解決しようとする課題】
本発明は、上記従来の問題を解決するもので、キーシートを圧入嵌合してカバーに取り付ける場合に取付け易く、取付けた後は外れにくくするように構成したを携帯無線装置提供することを目的とする。
【０００８】
【課題を解決するための手段】
本発明の請求項１に記載の発明は、
キートップを有するキーシートと、前記キートップが挿入されるキートップ孔を有するカバーとを合体させて、キー操作部を構成する携帯無線装置において、前記カバーまたは前記キーシートの一方には、嵌合用凹穴と、この凹穴の中にこの凹穴の深さとほぼ同じ高さの嵌合用凸部を備えるようにし、他方には嵌合用凸部と、この凸部の中心にこの凸部の高さとほぼ同じ深さの嵌合用凹穴を備えるようにして、前記カバーに設けたキートップ孔に前記キートップを嵌入するときに前記嵌合用凹穴と嵌合用凸部とを圧入嵌合することにより取付けたことを特徴とする携帯無線装置としたものである。
【０００９】
この構成により、キーシートをカバーと合体させるに際しては、取付け易く、取付けた後は外れにくくすることができる。
【００１０】
また、請求項２に記載の発明は、前記嵌合用凹穴の中央に設けた嵌合用凸部と前記嵌合用凸部の中央に設けた嵌合用凹穴の嵌合関係は、締まりばめとしたことを特徴とする請求項１に記載の携帯無線装置としたものである。また、請求項３に記載の発明は、前記嵌合用凹穴の中央に設けた嵌合用凸部と前記嵌合用凸部の中央に設けた嵌合用凹穴の嵌合関係は、締まりばめとし、前記中央に設けられた嵌合用凹部と嵌合用凸部以外の嵌合関係は、すきまばめまたは中間ばめとしたことを特徴とする請求項１に記載の携帯無線装置としたものである。
【００１１】
この構成により、請求項２と請求項３に記載の発明では、締まりばめにより前記中央に設けられた嵌合用凹穴が押し広げられ、その外側にある前記中央に設けられた嵌合用凹穴と嵌合用凸部以外の嵌合状態が締まりばめとなることから、キーシートをカバーと合体させるに際しては、取付け易く、取付けた後は外れにくくすることができる。
【００１２】
本発明の請求項４に記載の発明は、キートップを有するキーシートと、前記キートップが挿入されるキートップ孔を有するカバーとを合体させて、キー操作部を構成する携帯無線装置において、前記カバーには、嵌合用凹穴と、この凹穴の中にこの凹穴の深さとほぼ同じ高さの嵌合用凸部を備えるようにし、前記キーシートには、嵌合用凸部と、この凸部の中心にこの凸部の高さとほぼ同じ深さの嵌合用凹穴を備えるようにして、前記カバーに設けたキートップ孔に前記キートップを嵌入するときに前記キーシートを圧入嵌合することにより取付けたことを特徴とする携帯無線装置としたものである。
【００１３】
この構成により、取付け易く、取付けた後は外れにくくすることができる。
【００１４】
また、請求項５に記載の発明は、前記嵌合用凹穴の中に設けられた前記嵌合用凸部は、前記カバーに立設したボスであることを特徴とする請求項４に記載の携帯無線装置としたものである。
【００１５】
この構成により、構造が簡単であるが取付け易く、取付けた後は外れにくくすることができる。
【００１６】
また、請求項６に記載の発明は、前記ボスの形状を円筒形としたことを特徴とする請求項５に記載の携帯無線装置としたものである。
【００１７】
この構成により、構造が簡単であるが取付け易く、取付けた後は外れにくくすることができる。
【００１８】
また、請求項７に記載の発明は、前記カバーに設けられた凹穴の中に嵌合用凸部を有する前記嵌合用凹穴は、前記カバーの縦方向の中心線に線対称に設けられ、且つ上端に設けられた前記嵌合用凹穴は、前記カバーの左右端部にあり、前記下端に設けられた前記嵌合用凹穴は、前記カバーの縦方向の中心線の近傍にあることを特徴とする請求項４に記載の携帯無線装置としたものである。
【００１９】
この構成により、小型化で取付け位置が少ない箇所しか取れないにも拘わらず取付け易く、取付けた後は外れにくくすることができる。
【００２０】
また、請求項８に記載の発明は、前記上端に設けられた前記嵌合用凹穴は、前記下端に設けられた前記嵌合用凹穴よりも深くなるように設定されていることを特徴とする請求項７に記載の携帯無線装置としたものである。
【００２１】
この構成により、取付け易く、取付けた後は外れにくくすることができる。
【００２２】
また、請求項９に記載の発明は、前記キーシートに設けられた中心に嵌合用凹穴を有する前記嵌合用凸部は、前記キーシートと同一材料で形成される中空円筒状のものであることを特徴とする請求項４に記載の携帯無線装置としたものである。
【００２３】
この構成により、構造が簡単であるが取付け易く、取付けた後は外れにくくすることができる。
【００２４】
また、請求項１０に記載の発明は、前記キーシートはシリコンゴムであることを特徴とする請求項９に記載の携帯無線装置としたものである。
【００２５】
この構成により、構造が簡単であるが取付け易く、取付けた後は外れにくくすることができる。
【００２６】
また、請求項１１に記載の発明は、前記キーシートに設けられた中心に嵌合用凹穴を有する前記嵌合用凸部は、前記キーシートの縦方向の中心線に線対称に設けられ、且つ上端に設けられた前記嵌合用凸部は、前記キーシートの左右端部にあり、前記下端に設けられた前記嵌合用凸部は、前記キーシートの縦方向の中心線の近傍にあることを特徴とする請求項４に記載の携帯無線装置としたものである。
【００２７】
この構成により、小型化で取付け位置が少ない箇所しか取れないにも拘わらず取付け易く、取付けた後は外れにくくすることができる。
【００２８】
また、請求項１２に記載の発明は、前記上端に設けられた前記嵌合用凸部は、前記下端に設けられた前記嵌合用凸部よりも高くなるように設定されていることを特徴とする請求項１１に記載の携帯無線装置としたものである。
【００２９】
この構成により、構造が簡単であるが取付け易く、取付けた後は外れにくくすることができる。
【００３０】
【発明の実施の形態】
以下、本発明の実施の形態について、図１から図６を用いて説明する。
【００３１】
図１は本発明の実施の形態における携帯無線装置に係るカバー１とキーシート３の分解斜視図である。図２は本発明の実施の形態における携帯無線装置に係るカバー１にキーシート３を取付けた後の斜視図である。また、図３は本発明の実施の形態における携帯無線装置に係るカバー１の裏面図である。
【００３２】
図１において携帯無線装置のカバー１には、キーシート３に装着されたキートップ４が挿入されるキートップ孔２が設けられている。一方、キーシート３にはキートップ４が設けられ、さらにキーシート３がカバー１に圧入嵌合される位置に第１の取付部５および第２の取付部６が設けられている。
【００３３】
そして、図２に示すようにキーシート３をカバー１に取付ける。その場合、図３に示すように、キーシート３側に設けられている第１の取付部５および第２の取付部６に対応してカバー１側にも第１の取付部５'および第２の取付部６'が設けられている。
【００３４】
図４〜図６は、キーシート３側に設けられている取付部の構成と、カバー１側に設けられている取付部の構成を示すものである。
【００３５】
図４においてカバー１側に設けられている取付部５'または６'には、嵌合凹穴７に嵌合凸ボス（中凸ボス）８が設けられている。一方、キーシート３側に設けられている取付部５または６には、嵌合凸ボス９に嵌合凹穴（中抜き凹）10が設けられている。なお図４の例においては、キーシート３に実装部品11をプリント基板12との間に設けることができるようにされている。
【００３６】
図５は、図４における各部の寸法関係を説明するための断面図であり、図面では説明のために嵌合凸ボス９と嵌合凹穴10との間に隙間があるように示しているが、嵌合凸ボス（中凸ボス）８の外径Ａよりも嵌合凹穴（中抜き凹）10の内径Ｂの方が少しだけ小さくなるように設定されている。また、嵌合凸ボス９の外径Ｃよりも嵌合凹穴７の内径Ｄの方が少しだけ大きくなるように設定されている。なお嵌合の掛かり量Ｅは相互の挿入量によって決定される。
【００３７】
図６は、図５における実際の嵌合の様子を説明する断面図である。図６において図５で説明したＡ寸法の嵌合凸ボス８をＢ寸法の嵌合凹穴10に圧入することで、Ｃ寸法の嵌合凸ボス９がキーシート３がゴムで構成されていることにより外に膨らむ。このためクリアランスを設定していた分がなくなり、Ｃ寸法が嵌合凹穴の寸法である略Ｄ寸法に等しくなり、Ｃ寸法とＤ寸法の嵌合が発生する。このように、Ａ寸法とＢ寸法、およびＣ寸法とＤ寸法のダブルの嵌合が起こることによって取付け易く、外れにくい取付けが実現される。
【００３８】
なお、上記実施の形態の説明では、カバーに嵌合用凹穴とこの凹穴の中に嵌合用凸部を備えるようにし、キーシートに嵌合用凸部とこの凸部の中心に嵌合用凹穴を備えた形態を例示したが、これとは逆に、キーシートに嵌合用凹穴とこの凹穴の中に嵌合用凸部を備えるようにし、カバーに嵌合用凸部とこの凸部の中心に嵌合用凹穴を備えた形態としても良い。
【００３９】
また、上記の本発明の実施の形態では、嵌合用凹穴の中に設けられた嵌合用凸部はカバーに立設した円筒形のボスに形成し、カバーに縦方向の中心線に線対称に設けることによって取付け易く外れにくい構成にしている。また、中心線に対する凹穴の距離を上端と下端で異ならせて外れにくくするという配置にしている。なた凹穴の深さについても上端と下端で深さに差をつけて外れにくくしている。材質についてもキーシートをシリコンゴムとし、嵌合用凹穴を有する嵌合用凸部をキーシートと同一部材としている。
【００４０】
【発明の効果】
以上のように本発明の請求項１に記載の発明は、キートップを有するキーシートと、前記キートップが挿入されるキートップ孔を有するカバーとを合体させて、キー操作部を構成する携帯無線装置において、前記カバーまたは前記キーシートの一方には、嵌合用凹穴と、この凹穴の中にこの凹穴の深さとほぼ同じ高さの嵌合用凸部を備えるようにし、他方には嵌合用凸部と、この凸部の中心にこの凸部の高さとほぼ同じ深さの嵌合用凹穴を備えるようにして、前記カバーに設けたキートップ孔に前記キートップを嵌入するときに前記嵌合用凹穴と嵌合用凸部とを圧入嵌合することにより取付けたことを特徴とする携帯無線装置としたものであり、これにより、キーシートをカバーと合体させるに際しては、取付け易く、取付けた後は外れにくくすることができるという利点がある。
【００４１】
また、請求項２に記載の発明は、前記嵌合用凹穴の中央に設けた嵌合用凸部と前記嵌合用凸部の中央に設けた嵌合用凹穴の嵌合関係は、締まりばめとしたことを特徴とする請求項１に記載の携帯無線装置としたものである。また、請求項３に記載の発明は、前記嵌合用凹穴の中央に設けた嵌合用凸部と前記嵌合用凸部の中央に設けた嵌合用凹穴の嵌合関係は、締まりばめとし、前記中央に設けられた嵌合用凹部と嵌合用凸部以外の嵌合関係は、すきまばめまたは中間ばめとしたことを特徴とする請求項１に記載の携帯無線装置としたものである。この構成により、請求項２と請求項３に記載の発明では、締まりばめにより前記中央に設けられた嵌合用凹穴が押し広げられ、その外側にある前記中央に設けられた嵌合用凹穴と嵌合用凸部以外の嵌合状態が締まりばめとなることから、キーシートをカバーと合体させるに際しては、取付け易く、取付けた後は外れにくくすることができるという利点がある。
【００４２】
本発明の請求項４に記載の発明は、キートップを有するキーシートと、前記キートップが挿入されるキートップ孔を有するカバーとを合体させて、キー操作部を構成する携帯無線装置において、前記カバーには、嵌合用凹穴と、この凹穴の中にこの凹穴の深さとほぼ同じ高さの嵌合用凸部を備えるようにし、前記キーシートには、嵌合用凸部と、この凸部の中心にこの凸部の高さとほぼ同じ深さの嵌合用凹穴を備えるようにして、前記カバーに設けたキートップ孔に前記キートップを嵌入するときに前記キーシートを圧入嵌合することにより取付けたことを特徴とする携帯無線装置としたものであり、これにより、取付け易く、取付けた後は外れにくくすることができるという利点がある。
【００４３】
また、請求項５に記載の発明は、前記嵌合用凹穴の中に設けられた前記嵌合用凸部は、前記カバーに立設したボスであることを特徴とする請求項４に記載の携帯無線装置としたものであり、これにより、構造が簡単であるが取付け易く、取付けた後は外れにくくすることができるという利点がある。
【００４４】
また、請求項６に記載の発明は、前記ボスの形状を円筒形としたことを特徴とする請求項５に記載の携帯無線装置としたものであり、これにより、構造が簡単であるが取付け易く、取付けた後は外れにくくすることができるという利点がある。
【００４５】
また、請求項７に記載の発明は、前記カバーに設けられた凹穴の中に嵌合用凸部を有する前記嵌合用凹穴は、前記カバーの縦方向の中心線に線対称に設けられ、且つ上端に設けられた前記嵌合用凹穴は、前記カバーの左右端部にあり、前記下端に設けられた前記嵌合用凹穴は、前記カバーの縦方向の中心線の近傍にあることを特徴とする請求項４に記載の携帯無線装置としたものであり、これにより、小型化で取付け位置が少ない箇所しか取れないにも拘わらず取付け易く、取付けた後は外れにくくすることができるという利点がある。
【００４６】
また、請求項８に記載の発明は、前記上端に設けられた前記嵌合用凹穴は、前記下端に設けられた前記嵌合用凹穴よりも深くなるように設定されていることを特徴とする請求項７に記載の携帯無線装置としたものであり、これにより、取付け易く、取付けた後は外れにくくすることができるという利点がある。
【００４７】
また、請求項９に記載の発明は、前記キーシートに設けられた中心に嵌合用凹穴を有する前記嵌合用凸部は、前記キーシートと同一材料で形成される中空円筒状のものであることを特徴とする請求項４に記載の携帯無線装置としたものであり、これにより、構造が簡単であるが取付け易く、取付けた後は外れにくくすることができる。
【００４８】
また、請求項１０に記載の発明は、前記キーシートはシリコンゴムであることを特徴とする請求項９に記載の携帯無線装置としたものであり、これにより、構造が簡単であるが取付け易く、取付けた後は外れにくくすることができるという利点がある。
【００４９】
また、請求項１１に記載の発明は、前記キーシートに設けられた中心に嵌合用凹穴を有する前記嵌合用凸部は、前記キーシートの縦方向の中心線に線対称に設けられ、且つ上端に設けられた前記嵌合用凸部は、前記キーシートの左右端部にあり、前記下端に設けられた前記嵌合用凸部は、前記キーシートの縦方向の中心線の近傍にあることを特徴とする請求項４に記載の携帯無線装置としたものであり、これにより、小型化で取付け位置が少ない箇所しか取れないにも拘わらず取付け易く、取付けた後は外れにくくすることができるという利点がある。
【００５０】
また、請求項１２に記載の発明は、前記上端に設けられた前記嵌合用凸部は、前記下端に設けられた前記嵌合用凸部よりも高くなるように設定されていることを特徴とする請求項１１に記載の携帯無線装置としたものであり、これにより、構造が簡単であるが取付け易く、取付けた後は外れにくくすることができるという利点がある。
【図面の簡単な説明】
【図１】本発明の実施の形態における携帯無線装置に係るカバーとキーシートの分解斜視図、
【図２】本発明の実施の形態における携帯無線装置に係るカバーにキーシートを取付けた後の斜視図、
【図３】本発明の実施の形態における携帯無線装置に係るカバーの裏面図、
【図４】キーシート側に設けられている取付部の構成と、カバー側に設けられている取付部の構成を示す断面図、
【図５】図４における各部の寸法関係を説明するための断面図、
【図６】図５における実際の嵌合の様子を説明する断面図、
【図７】第１の従来例におけるキーシート側に設けられている取付部の構成と、カバー側に設けられている取付部の構成を示す断面図、
【図８】第２の従来例におけるキーシート側に設けられている取付部の構成と、カバー側に設けられている取付部の構成を示す断面図、
【図９】第３の従来例におけるキーシート側に設けられている取付部の構成と、カバー側に設けられている取付部の構成を示す断面図である。
【符号の説明】
１、21、31、41  カバー
２  キートップ孔
３、23、33、43  キーシート
４  キートップ
５、５'  第１の取付部
６、６'  第２の取付部
７  嵌合凹穴(カバー側)
８  嵌合凸ボス(カバー側)
９  嵌合凸ボス(キーシート側)
10  嵌合凹穴(キーシート側)
11、47  実装部品
12、25、35、45  プリント基板
【図１】
0004201068.tif 000002
【図２】
0004201068.tif 000003
【図３】
0004201068.tif 000004
【図４】
0004201068.tif 000005
【図５】
0004201068.tif 000006
【図６】
0004201068.tif 000007
【図７】
0004201068.tif 000008
【図８】
0004201068.tif 000009
【図９】
0004201068.tif 000010